(57)【要約】【課題】例えば、ハイビジョン映像（ＨＤＴＶ）信号がテレビ方式変換器でＮＴＳＣレベルの映像（ＳＤＴＶ）信号へ変換されるときに発生するレベル誤差を補正することができる映像信号処理装置を提供する。【解決手段】ＨＤＴＶ信号を処理する映像信号処理装置１３において、変換手段２１が入力されたＨＤＴＶ信号をＳＤＴＶ信号へ変換し、検出手段２２が前記変換手段による変換において発生するチャンネル間の誤差を検出し、補正手段２３が前記検出手段により検出された誤差を前記変換手段により変換されたＳＤＴＶ信号に対して補正する。【選択図】  図２
2011030056.tif 000002
【特許請求の範囲】
【請求項１】
ＨＤＴＶ信号を処理する映像信号処理装置において、
入力されたＨＤＴＶ信号をＳＤＴＶ信号へ変換する変換手段と、
前記変換手段による変換において発生するチャンネル間の誤差を検出する検出手段と、
前記検出手段により検出された誤差を前記変換手段により変換されたＳＤＴＶ信号に対して補正する補正手段と、
を備えたことを特徴とする映像信号処理装置。
【請求項２】
ＨＤＴＶ信号を取得するカメラと、当該ＨＤＴＶ信号を処理する映像信号処理装置を有するカメラシステムにおいて、
前記映像信号処理装置は、前記カメラから入力されたＨＤＴＶ信号をＳＤＴＶ信号へ変換する変換手段と、
前記変換手段による変換において発生するチャンネル間の誤差を検出する検出手段と、
前記検出手段により検出された誤差を前記変換手段により変換されたＳＤＴＶ信号に対して補正する補正手段と、を備えた、
ことを特徴とするカメラシステム。
【請求項３】
請求項２に記載のカメラシステムにおいて、
前記映像信号処理装置は、チャンネル間の誤差を補正する指示を受け付ける指示受け付け手段と、
前記指示受け付け手段により受け付けられた指示を前記カメラへ出力する指示出力手段と、
前記指示受け付け手段により前記指示が受け付けられたことに応じて、前記検出手段及び前記補正手段による処理を実行させる制御手段と、を備え、
前記カメラは、前記映像信号処理装置から前記チャンネル間の誤差を補正する指示が入力されたことに応じて、当該カメラにより取得されたＨＤＴＶ信号に対してチャンネル間の誤差を補正する処理を実行する補正処理手段を備えた、
ことを特徴とするカメラシステム。
【発明の詳細な説明】
【技術分野】
【０００１】
本発明は、映像信号処理装置やカメラシステムに関し、特に、ハイビジョン映像（ＨＤＴＶ：Ｈｉｇｈ  Ｄｅｆｉｎｉｔｉｏｎ  Ｔｅｌｅｖｉｓｉｏｎ）信号がテレビ方式変換器でＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）レベルの映像（ＳＤＴＶ：Ｓｔａｎｄａｒｄ  Ｄｅｆｉｎｉｔｉｏｎ  Ｔｅｌｅｖｉｓｉｏｎ）信号へ変換されるときに発生するレベル誤差を補正する技術に関する。
【背景技術】
【０００２】
例えば、地上デジタル放送システムでは、放送用カメラとして、マルチスタンダードテレビカメラが用いられている。
そして、マルチスタンダードテレビカメラシステム装置のハイビジョン映像（ＨＤＴＶ）信号をテレビ方式変換器でＮＴＳＣレベルの映像（ＳＤＴＶ）信号へ変換することが行われている。
【先行技術文献】
【特許文献】
【０００３】
【特許文献１】特開平７−２１２７９０号公報
【発明の概要】
【発明が解決しようとする課題】
【０００４】
しかしながら、上述したＨＤＴＶ信号からＳＤＴＶ信号への変換のときに発生するレベル誤差を補正することは、従来では、為されていなかった。このようなレベル誤差は、ＳＤＴＶ信号のブラックバランス、ホワイトバランス、ガンマバランス等で顕著に現れ、ＨＤＴＶ信号とのレベル誤差が起きてしまっていた。
【０００５】
具体例としては、１０ビット（ｂｉｔ）で処理する場合、ＨＤ−ＳＤＩ（Ｓｅｒｉａｌ  Ｄｉｇｉｔａｌ  Ｉｎｔｅｒｆａｃｅ）からＳＤ−ＳＤＩへの変換において、画素数線変換やマトリクス変換によって、ＲＧＢチャンネル間（色差）の誤差（例えば、１０ビットの最下ビット誤差）が発生する。
例えば、ＨＤＴＶ信号からＳＤＴＶ信号へ変換すると、走査線が少なくなるため、誤差が発生する。
【０００６】
また、マトリクス変換（伝送マトリクス変換）では、Ｙ（輝度）、Ｐｂ（青の色差）、Ｐｒ（赤の色差）とＲＧＢとの変換が行われ、一般に、輝度信号のマトリクスがＨＤＴＶとＳＤＴＶとで異なる。
例えば、ＨＤＴＶとＳＤＴＶの映像信号変換のマトリクスは、ＨＤＴＶについてはＹ＝０．７０１Ｇ＋０．０８７Ｂ＋０．２１２Ｒであり、ＳＤＴＶについてはＹ＝０．５８７Ｇ＋０．１１４Ｂ＋０．２９９Ｒである。ここで、Ｒは赤に対応し、Ｇは緑に対応し、Ｂは青に対応する。
【０００７】
本発明は、このような従来の事情に鑑み為されたもので、ハイビジョン映像（ＨＤＴＶ）信号がテレビ方式変換器でＮＴＳＣレベルの映像（ＳＤＴＶ）信号へ変換されるときに発生するレベル誤差を補正することができる映像信号処理装置やカメラシステムを提供することを目的とする。
【課題を解決するための手段】
【０００８】
上記目的を達成するため、本発明は、ＨＤＴＶ信号を処理する映像信号処理装置において、次のような構成とした。
すなわち、変換手段が、入力されたＨＤＴＶ信号をＳＤＴＶ信号へ変換する。検出手段が、前記変換手段による変換において発生するチャンネル（例えば、Ｒ、Ｇ、Ｂ）間の誤差（例えば、レベル誤差）を検出する。補正手段が、前記検出手段により検出された誤差を、前記変換手段により変換されたＳＤＴＶ信号に対して、補正する。
従って、例えば、ハイビジョン映像（ＨＤＴＶ）信号がテレビ方式変換器でＮＴＳＣレベルの映像（ＳＤＴＶ）信号へ変換されるときに発生するレベル誤差を補正することができる。
【０００９】
ここで、ＨＤＴＶ信号をＳＤＴＶ信号へ変換する手法としては、種々なものが用いられてもよい。
また、誤差の検出や補正は、例えば、ブラックバランス、ホワイトバランス、ガンマバランス等の各バランス毎に行われる。
【００１０】
上記目的を達成するため、本発明は、（例えば、映像の撮影により）ＨＤＴＶ信号を取得するカメラと、当該ＨＤＴＶ信号を処理する映像信号処理装置を有するカメラシステムにおいて、次のような構成とした。
すなわち、前記映像信号処理装置では、変換手段が前記カメラから入力されたＨＤＴＶ信号をＳＤＴＶ信号へ変換し、検出手段が前記変換手段による変換において発生するチャンネル間の誤差を検出し、補正手段が前記検出手段により検出された誤差を前記変換手段により変換されたＳＤＴＶ信号に対して補正する。
従って、例えば、ハイビジョン映像（ＨＤＴＶ）信号がテレビ方式変換器でＮＴＳＣレベルの映像（ＳＤＴＶ）信号へ変換されるときに発生するレベル誤差を補正することができる。
【００１１】
本発明に係るカメラシステムでは、一構成例として、次のような構成とした。
すなわち、前記映像信号処理装置では、指示受け付け手段が、チャンネル間の誤差を補正する指示を受け付ける。また、指示出力手段が、前記指示受け付け手段により受け付けられた指示を前記カメラへ出力する。また、制御手段が、前記指示受け付け手段により前記指示が受け付けられたことに応じて、前記検出手段及び前記補正手段による処理を実行させる。
前記カメラでは、補正処理手段が、前記映像信号処理装置から前記チャンネル間の誤差を補正する指示が入力されたことに応じて、当該カメラにより取得されたＨＤＴＶ信号に対してチャンネル間の誤差を補正する処理（例えば、誤差の検出及び補正の処理）を実行する。
従って、カメラにおけるＨＤＴＶ信号に対する誤差の補正処理の実行に連動して、映像信号処理装置におけるＳＤＴＶ信号に対する誤差の補正処理の実行を行うことができる。
【００１２】
ここで、映像信号処理装置により指示を受け付ける方法としては、例えば、人により操作される遠隔装置（リモートの装置）から送信される指示を受け付けるような方法が用いられてもよく、或いは、当該映像信号処理装置に設けられたキー等が人により操作されて（直接的に）指示を受け付けるような方法が用いられてもよい。
また、映像信号処理装置により受け付けられる指示と、それがカメラへ送られるときの指示としては、必ずしも完全に同一でなくてもよく、信号形式上の変換などが為されてもよい。
また、チャンネル間の誤差を補正する指示としては、例えば、ブラックバランス、ホワイトバランス、ガンマバランス等の各バランス毎に為される。
【発明の効果】
【００１３】
以上説明したように、本発明によると、例えば、ハイビジョン映像（ＨＤＴＶ）信号がテレビ方式変換器でＮＴＳＣレベルの映像（ＳＤＴＶ）信号へ変換されるときに発生するレベル誤差を補正することができる。
【図面の簡単な説明】
【００１４】
【図１】本発明の一実施例に係るマルチスタンダードテレビカメラシステム装置の構成例を示す図である。
【図２】本発明の一実施例に係るカメラコントロールユニットの構成例を示す図である。
【図３】（ａ）、（ｂ）、（ｃ）はＨＤＴＶ信号からＳＤＴＶ信号への変換の様子の一例を示す図であり、（ｄ）はＨＤＴＶ信号からＳＤＴＶ信号への変換の様子の他の一例を示す図である。
【図４】（ａ）はオートブラックバランスを実行した後におけるＨＤＴＶ信号のＣＨレベルの一例を示す図であり、（ｂ）及び（ｃ）はオートブラックバランスを実行した後におけるＳＤＴＶ信号のＣＨレベルの一例を示す図である。
【発明を実施するための形態】
【００１５】
本発明に係る実施例を図面を参照して説明する。
図１には、本発明の一実施例に係るマルチスタンダードテレビカメラシステム装置の構成例を示してある。本構成例は、一般的なシステム系統と同様なものとなっている。
本例のシステムでは、撮影スタジオ１に、マルチスタンダードテレビカメラ１１が存在しており、また、副調整室２に、カメラコントロールユニット（ＣＣＵ）１３、カラーモニター１４、リモートコントロールユニット（ＲＣＵ）１５が存在している。また、マルチスタンダードテレビカメラ１１とカメラコントロールユニット１３は光ケーブル１２を介して接続されており、また、カメラコントロールユニット１３はカラーモニター１４やリモートコントロールユニット１５と接続されている。
【００１６】
本例のシステムにおいて行われる動作の概要を示す。
撮影スタジオ１に設置されたマルチスタンダードテレビカメラ１１により撮影されたハイビジョン映像（ＨＤＴＶ）信号は、光ケーブル１２によって、副調整室２に設置されているカメラコントロールユニット１３へ送られる。
ここで、マルチスタンダードテレビカメラ１１は、複数の方式を変換することが可能であり、本例では、テレビ番組用の素材を撮影している。
また、本例では、光ケーブル１２には、Ｙ、Ｐｂ、Ｐｒ（輝度＋色差）のＨＤＴＶ信号が伝送する。
【００１７】
カメラコントロールユニット１３に送られたＨＤＴＶ信号は、カラーモニター１４へ出力されて、その信号に関する映像などが画面に表示される。また、カメラコントロールユニット１３によりＨＤＴＶ信号をテレビ方式変換器でＮＴＳＣレベルへ変換したＳＤＴＶ信号についても、カラーモニター１４へ出力されて、その信号に関する映像などが画面に表示される。
ここで、例えば、ブラックバランス等を調整する人は、カラーモニター１４の画面に表示される波形などを見て、調整を行うことができる。
【００１８】
リモートコントロールユニット１５により制御するコントロール信号は、カメラコントロールユニット１３、光ケーブル１２を介してマルチスタンダードテレビカメラ１１に送られ、当該コントロール信号に応じてカメラヘッドを制御する。これにより、映像（ＨＤＴＶ及びＳＤＴＶ）信号は、コントロール信号の制御項目に応じて変化する。
ここで、リモートコントロールユニット１５は、例えば、ユーザ（人）により操作されて、マルチスタンダードテレビカメラ１１やカメラコントロールユニット１３を制御することができる。
【００１９】
図２には、本発明の一実施例に係るカメラコントロールユニット１３の構成例を示してあり、また、マルチスタンダードテレビカメラ１１及びリモートコントロールユニット１５を示してある。
本例のカメラコントロールユニット１３は、走査変換回路３１及びマトリクス変換回路３２を有するテレビ方式変換器２１と、レベル検出回路２２と、補正量調整回路２３と、ＣＰＵ（Ｃｅｎｔｒａｌ  Ｐｒｏｃｅｓｓｉｎｇ  Ｕｎｉｔ）２４を備えている。
【００２０】
本例のカメラコントロールユニット１３において行われる動作の一例を示す。
マルチスタンダードテレビカメラ１１で撮影されたＨＤＴＶ信号が、カメラコントロールユニット１３内にＨＤＴＶ信号領域のものとして入力される。入力されたＨＤＴＶ信号は、ＨＤＴＶ信号のまま出力されるものと、テレビ方式変換器２１に入力されるものに分かれる。
ここで、本例では、このＨＤＴＶ信号は、Ｙ、Ｐｂ、Ｐｒで表されている。
【００２１】
テレビ方式変換器２１では、ＨＤＴＶ信号をＮＴＳＣレベルのＳＤＴＶ信号へ変換することが行われる。
具体的には、テレビ方式変換器２１に入力されたＨＤＴＶ信号（図３（ａ））は、走査変換回路３１により、水平（Ｈ）方向の変換が行われて、１６：９映像について画面の両サイドがカットされて、１６：９モニターで４：３の映像を出力するように処理され（図３（ｂ））、そして、垂直（Ｖ）方向の変換も行われて、４：３モニターで４：３の映像を出力するように変換される（図３（ｃ））。又は、４：３モニターで１６：９の映像を出力するように変換される（図３（ｄ））。変換後の信号は、マトリクス変換回路３２に入力される。
【００２２】
ここで、図３（ａ）には、テレビ方式変換器２１に入力されるＨＤＴＶ信号による映像の一例を示してある。図３（ｂ）には、図３（ａ）に示される映像に対して、サイドクロップにより、両サイドがカットされたものの一例を示してある。図３（ｃ）には、４：３モニターでの４：３の映像（ＳＤＴＶ信号）の一例を示してある。
また、図３（ｄ）には、４：３モニター（レターボックス）での１６：９の映像（ＳＤＴＶ信号）の一例を示してある。
【００２３】
マトリクス変換回路３２は、走査変換回路３１から入力された信号に対して、ＳＤＴＶ信号領域で伝送マトリクスの変換を行い、その結果をレベル検出回路２２及び補正量調整回路２３へ出力する。
ここで、本例では、伝送マトリクスの変換において、ＨＤＴＶ信号用のＹ、Ｐｂ、ＰｒからＳＤＴＶ信号用のＹ、Ｐｂ、Ｐｒへの変換が行われる。
このようなテレビ方式変換器２１における処理により、ＨＤＴＶ信号と比較して、ＳＤＴＶ信号に変換による誤差が生じる。
【００２４】
図４（ａ）、（ｂ）、（ｃ）を参照して、オートブラックバランスを例として、誤差の一例を示す。
図４（ａ）には、オートブラックバランスを実行した後におけるＨＤＴＶ信号のＣＨ（チャンネル）レベルの一例を示してある。チャンネルとしては、Ｒチャンネル、Ｇチャンネル、Ｂチャンネルがある。
図４（ｂ）には、オートブラックバランスを実行した後におけるＳＤＴＶ信号のＣＨレベルの一例を示してあり、図４（ｃ）には、それを拡大したものの一例を示してある。
【００２５】
図４（ａ）、（ｂ）、（ｃ）に示されるように、本例では、ＨＤＴＶ信号のブラックバランスには誤差がなく、ＳＤＴＶ信号のブラックバランスには誤差が生じる。この理由は、マルチスタンダードテレビカメラ１１内で行われているオートブラックバランスの処理自体が、ＨＤＴＶ信号で行われているために、ＨＤＴＶ信号では誤差が生じないが、ＳＤＴＶ信号ではテレビ方式変換による誤差が生じてしまうからである。
ここでは、ブラックバランスを例として説明したが、ホワイトバランス、ガンマバランス等についても同様である。
【００２６】
本例では、この誤差を補正するために、レベル検出回路２２及び補正量調整回路２３が設けられており、これらはカメラコントロールユニット１３内のＣＰＵ２４により制御される。
ＣＰＵ２４は、レベル検出回路２２によりレベルを検出することで、テレビ方式変換器２１から入力されたＳＤＴＶ信号について、ＣＨ間のレベル誤差を検出し、そして、補正量調整回路２３により、テレビ方式変換器２１から入力されたＳＤＴＶ信号に対して、検出されたレベル誤差を補正して、ＳＤＴＶ信号を出力する。
【００２７】
ここで、本例では、ブラックバランス、ホワイトバランス、ガンマバランス等の各バランスについて、レベル検出回路２２により誤差（ずれ）のレベルを検出し、ＣＰＵ２４により当該誤差の存在を検出（認識）し、補正量調整回路２３により当該誤差についてバランスが取れるように（誤差が小さくなるように）例えばＰｂ、Ｐｒを調整する。
【００２８】
このとき、本例では、リモートコントロールユニット１５からオートブラックバランス等の制御信号を、ＣＰＵ２４を介して、マルチスタンダードテレビカメラ１１に入力する。この制御信号はマルチスタンダードテレビカメラ１１によりＨＤＴＶ信号に対するオートブラックバランス等を実行させるための指示となっており、カメラコントロールユニット１３では、この制御信号に連動して、ブラックバランス等のレベル誤差の検出及び補正を行う処理を実行する。このように、オートブラックバランス、オートホワイトバランス、オートガンマバランス等のオート制御に連動させて、レベル誤差を補正することができる。
なお、各バランスについてのリモートコントロールユニット１５からの誤差補正の指示（制御信号）や、各バランスについての誤差検出及び誤差補正は、例えば、１つずつ順（任意の順序、又は、所定の順序）に行われる。
【００２９】
ここで、本例では、レベル検出回路２２を備える構成例を示したが、他の構成例として、（レベル検出回路２２により検出される）誤差量が固定値であることが把握されているような場合には、レベル検出回路２２は備えられなくてもよく、レベル検出回路２２を備えずに、その固定値を補正量調整回路２３に設定して、ＳＤＴＶ信号を出力させる構成とすることも可能である。
【００３０】
以上のように、本例のマルチスタンダードテレビカメラシステム装置では、ハイビジョン映像（ＨＤＴＶ）信号をテレビ方式変換器２１でＮＴＳＣレベルの映像（ＳＤＴＶ）信号へ変換した時に発生するレベル誤差を補正し、ハイビジョン映像（ＨＤＴＶ）信号とＮＴＳＣレベルの映像（ＳＤＴＶ）信号のブラックバランスやホワイトバランスやガンマバランス等のレベル誤差が生じないようにすることができる。
具体的には、カメラコントロールユニット１３では、ＨＤＴＶ信号を入力してＳＤＴＶ信号へ変換し、当該変換のときに発生するチャンネル（Ｒ、Ｇ、Ｂ）間の誤差を検出し、検出したチャンネル間の誤差をＳＤＴＶ信号に対して補正する（例えば、ＳＤＴＶ信号の色差を補正する）。
【００３１】
また、本例では、リモートコントロールユニット１５からのＨＤＴＶ信号に対する制御信号に連動させて、ＳＤＴＶ信号についてブラックバランス等の誤差を補正することができる。
具体的には、カメラコントロールユニット１３では、リモートコントロールユニット１５から（又は、他の構成例として、ユーザなどから直接的に）チャンネル間誤差を補正するための指示を受け付けて、その指示をマルチスタンダードテレビカメラ１１へ送り、これによりマルチスタンダードテレビカメラ１１はその指示を受け取ったことに応じてＨＤＴＶ信号（撮影した映像信号）のチャンネル間誤差を補正し、これとともに、カメラコントロールユニット１３は、ＨＤＴＶ信号をＳＤＴＶ信号へ変換したものについて、チャンネル間誤差を補正する。
【００３２】
このように、本例では、マルチスタンダードテレビカメラ１１で、ＨＤＴＶ信号のブラックバランス、ホワイトバランス、ガンマバランス等をそれぞれ合わせた後に、カメラコントロールユニット１３で、当該ＨＤＴＶ信号をテレビ方式変換器２１によりＳＤＴＶ信号へ変換した時に発生するレベル誤差を補正する。これにより、ＨＤＴＶ信号とテレビ方式変換器２１でＮＴＳＣレベルに変換したＳＤＴＶ信号のレベル誤差を補正によりなくす。
【００３３】
なお、本例のカメラコントロールユニット１３（映像信号処理装置の一例）では、走査変換回路３１やマトリクス変換回路３２を有するテレビ方式変換器２１の機能によりＨＤＴＶ信号からＳＤＴＶ信号への変換手段が構成されており、レベル検出回路２２の機能によりＳＤＴＶ信号に関する誤差の検出手段が構成されており、補正量調整回路２３の機能によりＳＤＴＶ信号に関する誤差の補正手段が構成されており、ＣＰＵ２４がリモートコントロールユニット１５からバランス調整の指示を受け付ける機能により指示受け付け手段が構成されており、ＣＰＵ２４がその指示をマルチスタンダードテレビカメラ１１へ出力する機能により指示出力手段が構成されており、ＣＰＵ２４がその指示の受け付けに応じてその指示に従った処理をレベル検出回路２２や補正量調整回路２３により実行させるように制御する機能により制御手段が構成されている。
また、本例のマルチスタンダードカメラ１１（カメラの一例）では、前記した指示が入力されたことに応じて、その指示に従ったＨＤＴＶ信号に関するバランス調整の処理（例えば、誤差の検出及び補正の処理）を実行する機能により補正処理手段が構成されている。
【００３４】
ここで、本発明に係るシステムや装置などの構成としては、必ずしも以上に示したものに限られず、種々な構成が用いられてもよい。また、本発明は、例えば、本発明に係る処理を実行する方法或いは方式や、このような方法や方式を実現するためのプログラムや当該プログラムを記録する記録媒体などとして提供することも可能であり、また、種々なシステムや装置として提供することも可能である。
また、本発明の適用分野としては、必ずしも以上に示したものに限られず、本発明は、種々な分野に適用することが可能なものである。
また、本発明に係るシステムや装置などにおいて行われる各種の処理としては、例えばプロセッサやメモリ等を備えたハードウエア資源においてプロセッサがＲＯＭ（Ｒｅａｄ  Ｏｎｌｙ  Ｍｅｍｏｒｙ）に格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピー（登録商標）ディスクやＣＤ（Ｃｏｍｐａｃｔ  Ｄｉｓｃ）−ＲＯＭ等のコンピュータにより読み取り可能な記録媒体や当該プログラム（自体）として把握することもでき、当該制御プログラムを当該記録媒体からコンピュータに入力してプロセッサに実行させることにより、本発明に係る処理を遂行させることができる。
【符号の説明】
【００３５】
１・・撮影スタジオ、  ２・・副調整室、  １１・・マルチスタンダードテレビカメラ、  １２・・光ケーブル、  １３・・カメラコントロールユニット（ＣＣＵ）、  １４・・カラーモニター、  １５・・リモートコントロールユニット（ＲＣＵ）、  ２１・・テレビ方式変換器、  ２２・・レベル検出回路、  ２３・・補正量調整回路、  ２４・・ＣＰＵ、  ３１・・走査変換回路、  ３２・・マトリクス変換回路、
【図１】
2011030056.tif 000003
【図２】
2011030056.tif 000004
【図３】
2011030056.tif 000005
【図４】
2011030056.tif 000006